(57)【特許請求の範囲】
【請求項１】
背中を基準に肩を包める形態で形成されたパッド部と、
前記パッド部の内部にジグザグに配列され、流入口と流出口が備えられた温水ホースと、
前記温水ホースの流入口と流出口に連結され、加熱された温水を循環させる温水ボイラーと、を含み、
前記温水ホースは、前記パッド部を着用したユーザの両側の肩関節部位に対応するパッド部の肩関節領域に、他の領域より相対的に高い温熱が伝達できるように配列され、
前記温水ホースは、左側または右側の肩関節部位に対応する第１肩関節領域に優先的に配列され、両側の肩関節部位を除いた他の領域に左右方向にジグザグに配列されてから、前記第１肩関節領域の反対側に位置した第２肩関節領域に最終的に配列され、
前記第１肩関節領域には前記温水ホースの流入口が隣接して位置し、前記第２肩関節領域には前記温水ホースの流出口が隣接して位置し、
前記温水ホースは、前記第１及び第２肩関節領域内で少なくとも１回以上折り曲げられる形態で配列され、
前記第１肩関節領域における温水ホースの折曲回数が、前記第２肩関節領域における温水ホースの折曲回数より相対的に少ないことを特徴とする温水を用いた肩温熱パッド。
【請求項２】
前記温水ホースの屈曲部分には、温水ホースの折れを防止するために温水ホースを包むバネ状の弾性材質でなる保護パイプがさらに設けられることを特徴とする請求項１に記載の温水を用いた肩温熱パッド。
【請求項３】
前記温水ホースは、前記パッド部の左右方向にジグザグに配列され、
前記パッド部の肩関節領域内では、前記温水ホースが少なくとも１回以上折り曲げられる形態で配列されることを特徴とする請求項１または請求項２に記載の温水を用いた肩温熱パッド。
【請求項４】
前記肩関節領域には、前記温水ホースが肩線の方向に折り曲げられる形態で配列されることを特徴とする請求項１ないし請求項３のいずれか１項に記載の温水を用いた肩温熱パッド。
【請求項５】
前記パッド部は、背中を覆う形態で形成された背中部材と、前記背中部材の上部両側からそれぞれ延びて両肩を経て胸を覆う形態で形成された肩掛け部材と、前記背中部材の上部中央に首を包める形態で形成された首サポート部材とが一体的に結合されて形成されることを特徴とする請求項１ないし請求項４のいずれか１項に記載の温水を用いた肩温熱パッド。
【請求項６】
前記パッド部の肩掛け部材には、両側を相互締結するための締結手段がさらに設けられることを特徴とする請求項５に記載の温水を用いた肩温熱パッド。
【発明の詳細な説明】
【技術分野】
【０００１】
本発明は、温水ボイラーによって加熱された温水を用いる肩温熱パッドに関し、より詳しくは、温水を用いて肩部位に効果的に温熱効果を伝達することで、肩の硬直した筋肉と血行障害による痛症を緩和でき、楽な着心地と便利性を有する温水を用いた肩温熱パッドに関する。
【背景技術】
【０００２】
肩は、胴体から腕につながる身体部分であって、首根部分と胸などの外側から上腕の胴体側の１／３部分に至る広範囲な部分である。近年、情報通信技術の発達によってコンピューターの使用時間が長くなり、机に座っている時間が増加するとともに、緊張、疲れ、ストレスなどによって肩の新陳代謝が円滑に行われず、筋肉の硬直や血行障害から生じる痛症の発生が増加している。
【０００３】
このような肩部位の痛症を緩和させるため、物理処置療法の１つとして温熱療法が広く行われている。温熱療法としては、構成が簡単であって使用が容易なパウチ形態のパックに高温の液体を入れて使用する方法と、電気を用いた面状発熱体を用いて熱を発生させる方法が主に使用された。
【０００４】
ところが、パウチ形態のパックは、高温に加熱した液体が冷却し易く、長時間に亘って使用し難いという短所がある。また、電気を用いる方法の場合は、電気を用いて長時間温熱状態が維持でき、長時間に亘る使用が可能であるという長所があるが、電気の使用により火事または感電事故の危険性が高く、自体の電気的特性によって人体に有害な電磁波を発生するという問題点がある。
【０００５】
それ故に、本発明が属する技術分野では、人体に有害な電磁波の影響から安全でありながらも便利に肩部位に効果的に温熱効果を伝達できる方案が切実に求められている。
【発明の概要】
【発明が解決しようとする課題】
【０００６】
本発明は、上記問題点に鑑みてなされたものであり、温水を用いて肩に温熱効果を伝達でき、特に、温熱を伝達する温水ホースの配列構造を改善することで肩の関節部位に一層効果的に温熱効果を集中できる温水を用いた肩温熱パッドを提供することを目的とする。
【課題を解決するための手段】
【０００７】
上記の目的を達成するため、本発明による温水を用いた肩温熱パッドは、背中を基準に肩を包める形態で形成されたパッド部；前記パッド部の内部にジグザグに配列され、流入口と流出口が備えられた温水ホース；及び前記温水ホースの流入口と流出口に連結され、加熱された温水を循環させる温水ボイラー；を含み、前記温水ホースは、前記パッド部を着用したユーザの両側の肩関節部位に対応するパッド部の肩関節領域に、他の領域より相対的に高い温熱が伝達できるように配列されたことを特徴とする。
【０００８】
望ましくは、前記温水ホースの屈曲部分には、温水ホースの折れを防止するために温水ホースを包むバネ状の弾性材質でなる保護パイプがさらに設けられる。
【０００９】
望ましくは、前記温水ホースは、前記パッド部の左右方向にジグザグに配列され、前記パッド部の肩関節領域内では、前記温水ホースが少なくとも１回以上折り曲げられる形態で配列される。
【００１０】
望ましくは、前記肩関節領域では、前記温水ホースが肩線の方向に折り曲げられる形態で配列される。
【００１１】
望ましくは、前記温水ホースは左側または右側の肩関節部位に対応する第１肩関節領域に優先的に配列され、両側の肩関節部位を除いた他の領域に左右方向にジグザグに配列されてから、前記第１肩関節領域の反対側に位置した第２肩関節領域に最終的に配列される。
【００１２】
望ましくは、前記第１肩関節領域には前記温水ホースの流入口が隣接して位置し、前記第２肩関節領域には前記温水ホースの流出口が隣接して位置する。
【００１３】
望ましくは、前記温水ホースは、前記第１及び第２肩関節領域内で少なくとも１回以上折り曲げられる形態で配列され、前記第１肩関節領域における温水ホースの折曲回数が、前記第２肩関節領域における温水ホースの折曲回数より相対的に少ない。
【００１４】
望ましくは、前記パッド部は、背中を覆う形態で形成された背中部材と、前記背中部材の上部両側からそれぞれ延びて両肩を経て胸を覆う形態で形成された肩掛け部材と、前記背中部材の上部中央に首を包める形態で形成された首サポート部材とが一体的に結合されて形成される。
【００１５】
望ましくは、前記パッド部の肩掛け部材には、両側を相互締結するための締結手段がさらに設けられる。
【発明の効果】
【００１６】
本発明によれば、電気を使用しないことで、有害電磁波の影響から安全であるだけでなく、便利に肩に温熱効果を伝達できる肩温熱パッドを提供することができる。特に、複雑な構造変更や構成品の追加なく、温熱を伝達する温水ホースの配列構造を改善することで、肩痛の主要原因部位である肩の関節部位に温熱効果を集中できて肩痛の治療をより効果的に行うことができる。
【図面の簡単な説明】
【００１７】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００１８】
【図１】本発明による温水を用いた肩温熱パッドの構成を示した概略図である。
【図２】図１の肩温熱パッドを着用した状態を示した上面図である。
【図３】図１の肩温熱パッドを着用した状態を示した正面図であり。
【発明を実施するための形態】
【００１９】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２０】
図１は本発明による温水を用いた肩温熱パッドの構成を概略的に示した図であり、図２は図１の肩温熱パッドを着用した状態を示した上面図であり、図３は図１の肩温熱パッドを着用した状態を示した正面図である。
【００２１】
図１ないし図３を参照すれば、本発明による温水を用いた肩温熱パッドは、パッド部１００、温水ホース２００、及び温水ボイラー３００を含む。
【００２２】
前記パッド部１００は、背中を基準に肩を包める形態で形成される。図１に示されたように、前記パッド部１００は広い面積で背中を覆う形態で形成された背中部材１１０と、前記背中部材１１０の上部両側にそれぞれ延びて両側の肩を経て胸を覆う形態で形成された肩掛け部材１２０と、前記背中部材１１０の上部中央に首を包める形態で形成された首サポート部材１３０とが一体的に結合され、全体的に「Ｙ」字のような形状を有する。すなわち、パッド部１００は、前記背中部材１１０と首サポート部材１３０を背中と首に位置させた状態で、前記肩掛け部材１２０を肩にかけて覆えるように形成される。
【００２３】
前記パッド部１００の内部には、前記温水ホース２００が配列され、温水ホース２００を通して循環される温水によって肩部位に温熱を伝達することができる。また、パッド部１００の前記肩掛け部材１２０には、両側を相互締結するためのボタン、ベルクロテープ、又はマジックテープなどのような締結手段１２５が設けられる。
【００２４】
前記温水ホース２００は、耐熱性の良い軟質の材質でなり、前記パッド部１００の内部にジグザグに配列される。また、温水ホース２００には温水を流入／流出するための入口／出口である流入口２１０／流出口２２０が備えられる。前記温水ホース２００の流入口２１０及び流出口２２０は、前記温水ボイラー３００と連結され、温水ボイラー３００で加熱された温水が流入口２１０を通して供給され、温水ホース２００を循環して温度の下がった温水が流出口２２０を通して排出される。このとき、前記温水ホース２００は前記流入口２１０と流出口２２０を通して前記温水ボイラー３００と直接連結されることもできるが、前記パッド部１００の外部と温水ボイラー３００との間に別に構成された温水供給ホース２３０を介して、温水ボイラー３００と温水ホース２００の流入口２１０及び流出口２２０とが連結されることもできる。
【００２５】
前記温水供給ホース２３０は、前記温水ホース２００より熱遮断効率の高い材質で形成され、ユーザを火傷の危険から保護する役割をする。また、温水供給ホース２３０は、前記温水ホース２００の流入口２１０及び流出口２２０との連結状態を解除できるように脱着可能な構造で構成され得る。この場合、前記流入口２１０と流出口２２０には逆止弁（ｃｈｅｃｋｖａｌｖｅ）の機能が与えられ、温水供給ホース２３０が分離されても温水ホース２００の内部に残留する湯が外部に流れることを防止できる。このような構成により、肩温熱パッドを使用しないときは、温水供給ホース２３０を分離して肩温熱パッドの保管を一層便利にすることができる。
【００２６】
本発明において、前記温水ホース２００は、前記パッド部１００を着用したユーザの両側の肩関節部位に対応するパッド部１００の肩関節領域Ｈ、Ｈ’に他の領域より相対的に高い温熱が伝達できるように配列されたことを発明の主な特徴とする。
【００２７】
具体的に、前記温水ホース２００は、前記パッド部１００の左右方向Ｗにジグザグに配列されるが、前記パッド部１００の肩関節領域Ｈ、Ｈ’内では温水ホース２００が少なくとも１回以上折り曲げられる形態で配列される。すなわち、前記温水ホース２００は全体的に見たとき、前記パッド部１００の左右方向Ｗにジグザグに配列されるが、特定領域である肩関節領域Ｈ、Ｈ’では肩線の方向Ｓに配列方向が変わって、肩関節領域Ｈ、Ｈ’内で少なくとも１回以上折り曲げられる形態で配列される。このような温水ホース２００の配列構造により、温水ホース２００が他の領域より肩関節領域Ｈ、Ｈ’に集中的に配置されるようになる。また、前記温水ホース２００は、図２及び図３に示されたように、ユーザが着用したとき、他の領域と違って、前記肩関節領域Ｈ、Ｈ’では肩線の方向Ｓを基準に折り曲げられる。このように、前記温水ホース２００が肩線の方向Ｓに折り曲げられる形態で配列されることで、肩の屈曲方向に対して垂直に配列されることで加えられ得る引張力を最小化することができる。これにより、温水ホース２００の弛みを最小化することで、温水ホース２００の寿命が延び破損可能性が低減し、パッド部１００を着用したユーザにより楽な着心地を与えることができる。
【００２８】
より具体的に、前記温水ホース２００は、右側の肩関節部位に対応する第１肩関節領域Ｈにまず配列され、両側の肩関節部位を除いた他の領域に左右方向Ｗにジグザグに配列されてから、第１肩関節領域Ｈの反対側に位置した第２肩関節領域Ｈ’に最終的に配列される。すなわち、前記第１肩関節領域Ｈには前記温水ホース２００の流入口２１０が隣接して位置し、前記第２肩関節領域Ｈ’には前記温水ホース２００の流出口２２０が隣接して位置する。換言すれば、前記パッド部１００に配列される温水ホース２００は、前記温水ホース２００の流入口２１０から始めて、まず前記第１肩関節領域Ｈ内で肩線の方向Ｓに少なくとも１回以上折り曲げられる形態で配列されてから、前記第１及び第２肩関節領域Ｈ、Ｈ’を除いた他の領域で左右方向Ｗに方向を変えながらジグザグに配列されることで、上体の上部と首部分に位置するパッド部１００の領域を詰め、最終的に前記第２肩関節領域Ｈ’内で肩線の方向Ｓに方向を再び変えて少なくとも１回以上折り曲げられる形態で配列された後、流出口２２０まで連結される。このとき、前記温水ホース２００は、前記第１肩関節領域Ｈにおける温水ホース２００の折曲回数が前記第２肩関節領域Ｈ’における温水ホースの折曲回数より相対的に少ないことが望ましい。これは、前記第１肩関節領域Ｈは温水ホース２００の流入口２１０と隣接し、前記温水ボイラー３００で加熱された高温の温水が最初に通過する経路になるため、他の領域より相対的に高い温熱が伝達される一方、前記第２肩関節領域Ｈ’では前記第１肩関節領域Ｈより温水ホース２００の折曲回数を多くすることで、前記第１肩関節領域Ｈより相対的に低温の温水が通る問題を補完し、第１及び第２肩関節領域Ｈ、Ｈ’に加えられる温熱を均一に伝達することができる。
【００２９】
このように、本発明による温水を用いた肩温熱パッドは、温水ホース２００の配列構造を改善することで、ユーザが肩温熱パッドを着用したとき、前記第１及び第２肩関節領域Ｈ、Ｈ’に温水ホース２００がより集中的に配置され、高い温熱を伝達することができる。
【００３０】
前記温水ボイラー３００としては、水を加熱して循環できる公知の温水ボイラーを使用し、例えば、温水タンク、温水タンクの水を加熱するヒーター、及び温水タンクの水を前記温水ホース２００を通して循環させる循環ポンプを含んでなり得る。
【００３１】
さらに、本発明による温水を用いた肩温熱パッドには、前記温水ホース２００の屈曲部分に、温水ホース２００の折れを防止するため、温水ホース２００を包むバネ状の弾性材質でなる保護パイプ（図示せず）をさらに設けることができる。これは、温水ホース２００が激しく屈曲することで損傷されることを防止するためである。
【００３２】
以上、本発明を限定された実施例と図面に基づいて説明したが、本発明はこれによって限定されず、本発明が属する技術分野で通常の知識を持つ者によって本発明の技術思想と特許請求範囲の均等範囲内で多様な修正及び変形が可能であることは言うまでもない。
【符号の説明】
【００３３】
１００    パッド部
２００    温水ホース
３００    温水ボイラー
【図１】
0005860490.tif 000002
【図２】
0005860490.tif 000003
【図３】
0005860490.tif 000004